(57)【要約】【課題】「最高血圧と最低血圧の幅」を直感的に容易に認識できるようにアナログ的に表示する。【解決手段】カフと、カフを加圧する手段と、カフを減圧する手段と、カフの圧力を検出する圧力センサと、手動操作により外部入力信号を発生する外部入力スイッチと、カフの減圧過程において外部入力スイッチにより、第１の外部入力信号が入力されたタイミングと、その後の第２の外部入力信号が入力されたタイミングとにそれぞれ対応した圧力センサの検出値を最高血圧及び最低血圧として判定する血圧判定手段と、目盛１５Ａに沿って電子的に表示された表示体１５Ｂの長さまたは表示ポイントの位置により、圧力センサの検出圧力値を表示するアナログ状表示器１５と、最高血圧と最低血圧を判定した後にアナログ状表示器１５に対し、最高血圧と最低血圧の幅を、目盛１５Ａ上における最高血圧と最低血圧との間の表示体１５Ｂの長さＨとして表示させる表示制御手段と、を具備する。【選択図】図４
2007135715.tif 000002
【特許請求の範囲】
【請求項１】
血圧測定部位に巻き付けるカフと、
前記カフを加圧する加圧手段と、
前記カフを減圧する減圧手段と、
前記カフの圧力を検出して電気的出力を発する圧力センサと、
手動操作により外部入力信号を発生する外部入力スイッチと、
血圧測定のためのカフの減圧過程において、前記外部入力スイッチにより、第１の外部入力信号が入力されたタイミングと、その後の第２の外部入力信号が入力されたタイミングと、にそれぞれ対応した前記圧力センサの検出値を、最高血圧及び最低血圧として判定する血圧判定手段と、
目盛に沿って電子的に表示された表示体の長さまたは表示ポイントの位置により、前記圧力センサの検出した圧力値を表示するアナログ状表示器と、
前記血圧判定手段が最高血圧と最低血圧を判定した後に、前記アナログ状表示器に対し、最高血圧と最低血圧の幅を、前記目盛上における最高血圧と最低血圧との間の前記表示体の長さとして、または、最高血圧と最低血圧の２つの表示ポイントの間隔として表示させる表示制御手段と、
を具備することを特徴とするアナログ状表示器を備えた電子式血圧計。
【請求項２】
血圧測定部位に巻き付けるカフと、
前記カフを加圧する加圧手段と、
前記カフを減圧する減圧手段と、
前記カフの圧力を検出して電気的出力を発する圧力センサと、
前記圧力センサの検出データに基づいて演算処理することにより最高血圧及び最低血圧を判定する血圧判定手段と、
目盛に沿って電子的に表示された表示体の長さまたは表示ポイントの位置により、前記圧力センサの検出した圧力値を表示するアナログ状表示器と、
前記血圧判定手段が最高血圧と最低血圧を判定した後に、前記アナログ状表示器に対し、最高血圧と最低血圧の幅を、前記目盛上における最高血圧と最低血圧との間の前記表示体の長さとして、または、最高血圧と最低血圧の２つの表示ポイントの間隔として表示させる表示制御手段と、
を具備することを特徴とするアナログ状表示器を備えた電子式血圧計。
【請求項３】
請求項１または２に記載のアナログ状表示器を備えた電子式血圧計であって、
前記アナログ状表示器とは別に、前記圧力センサの検出した圧力値を数値表示するデジタル表示器を備え、
前記表示制御手段が、前記血圧判定手段が最高血圧と最低血圧を判定した後に、前記デジタル表示器に対し、最高血圧と最低血圧を数値表示させることを特徴とするアナログ状表示器を備えた電子式血圧計。
【請求項４】
請求項１〜３のいずれかに記載のアナログ状表示器を備えた電子式血圧計であって、
前記アナログ状表示器の目盛の位置に発光手段を設け、前記表示制御手段が、最高血圧と最低血圧の幅を前記アナログ状表示器に表示させる際に、最高血圧と最低血圧に対応する位置の前記発光手段を発光させることを特徴とするアナログ状表示器を備えた電子式血圧計。
【請求項５】
請求項１〜４のいずれかに記載のアナログ状表示器を備えた電子式血圧計であって、
前記表示制御手段が、最高血圧と最低血圧の幅を前記アナログ状表示器に表示させる際に、最高血圧と最低血圧との間の長さの前記表示体の全部、または、その表示体の最高血圧と最低血圧に対応する位置だけを点滅表示させることを特徴とするアナログ状表示器を備えた電子式血圧計。
【請求項６】
請求項１〜５のいずれかに記載のアナログ状表示器を備えた電子式血圧計であって、
前記表示制御手段が、前記血圧判定手段が最高血圧を判定した段階で、その最高血圧の位置で前記表示体をポイント表示させ、その後、前記血圧判定手段が最低血圧を判定するまでの間は、その最高血圧のポイント表示を維持したまま、前記圧力センサの検出値を表示体の長さで表示させることを特徴とするアナログ状表示器を備えた電子式血圧計。
【発明の詳細な説明】
【技術分野】
【０００１】
本発明は、例えば、水銀柱を模した電子的なバーグラフ表示が可能なアナログ状表示器を備えた電子式血圧計に関するものである。
【背景技術】
【０００２】
従来一般に、医療現場では、水銀柱式血圧計が標準的に使用されていた。水銀柱式血圧計は、水銀柱式圧力計と、上腕等に巻き付けるカフと、カフを加圧する加圧手段（一般にはゴム球）と、カフを減圧する減圧手段（排気バルブ）と、からなるもので、被測定者の血圧を測定する場合は、聴診器で腕の脈音を聴きながら、水銀柱を読み取ることで、最高血圧と最低血圧を判定している。
【０００３】
具体的には、上腕に巻いたカフを最高血圧以上に加圧した後、徐々に減圧していき、その減圧過程で聴診器によりコロトコフ音を聴き取り、収縮期と拡張期を聴き分けた各タイミングで、水銀柱の上端の位置の目盛を読み取り、収縮期のタイミングの読み取り値を最高血圧、拡張期のタイミングの読み取り値を最低血圧として検出している。
【０００４】
ところで、水銀柱式血圧計は、長く医療現場で用いられてきたが、最近の環境問題等への対応により、水銀柱式血圧計に代わる血圧計が望まれていた。
【０００５】
最近では、水銀柱式血圧計に代わるものとして、デジタル表示式の電子式血圧計が開発されているが、長く水銀柱式血圧計に親しんできた者にとっては、水銀柱とかけ離れたデジタル式の表示は、馴染みにくいという事情があった。
【０００６】
そこで、そのような事情に応えるものとして、カフの圧力値を、水銀柱を模したアナログ状のバーグラフとして表示し得る電子式血圧計が開発されている（例えば、特許文献１参照）。
【０００７】
この特許文献１に記載の電子血圧計は、カフと、加圧手段と、減圧手段と、圧力センサと、聴診器で検出した収縮期と拡張期のタイミングに割り込み信号を与える割り込みスイッチと、水銀柱をイメージしたバーグラフ表示ができるアナログ状表示器と、圧力センサの検出した圧力値及び測定結果である最高血圧と最低血圧をデジタル表示できるデジタル表示器と、を備えている。
【０００８】
この電子式血圧計によれば、アナログ状表示器のバーグラフを見ながら聴診器でコロトコフ音を聴き分け、収縮期と拡張期と判断したタイミングで割り込みスイッチを操作することにより、最高血圧と最低血圧をデジタル表示器に表示させることができる。
【０００９】
【特許文献１】特開２０００−７０２３１号公報
【発明の開示】
【発明が解決しようとする課題】
【００１０】
ところで、特許文献１に記載の電子式血圧計のように、せっかく電子式表示をするのに、デジタル表示するだけでは、あまり商品価値が高いとは言えないという課題があった。即ち、デジタル表示は、数値を頭で認識する上では申し分ないが、例えば、「最高血圧と最低血圧の幅」をアナログ量として把握したい場合には、読み取った数値を頭の中でいったん演算しないと認識しづらく、直感的な把握が難しいという問題があった。
【００１１】
本発明は、上記事情を考慮し、圧力値をアナログ状に表示する表示機能を有した電子式血圧計において、「最高血圧と最低血圧の幅」を直感的に容易に認識できるようにアナログ的に表示することの可能な電子式血圧計を提供することを目的とする。
【課題を解決するための手段】
【００１２】
請求項１の発明は、血圧の手動測定が可能なアナログ状表示器を備えた電子式血圧計であり、血圧測定部位に巻き付けるカフと、カフを加圧する加圧手段と、カフを減圧する減圧手段と、カフの圧力を検出して電気的出力を発する圧力センサと、手動操作により外部入力信号を発生する外部入力スイッチと、血圧測定のためのカフの減圧過程において、前記外部入力スイッチにより、第１の外部入力信号が入力されたタイミングと、その後の第２の外部入力信号が入力されたタイミングと、にそれぞれ対応した圧力センサの検出値を、最高血圧及び最低血圧として判定する血圧判定手段と、目盛に沿って電子的に表示された表示体の長さまたは表示ポイントの位置により、圧力センサの検出した圧力値を表示するアナログ状表示器と、前記血圧判定手段が最高血圧と最低血圧を判定した後に、アナログ状表示器に対し、最高血圧と最低血圧の幅を、目盛上における最高血圧と最低血圧との間の表示体の長さとして、または、最高血圧と最低血圧の２つの表示ポイントの間隔として表示させる表示制御手段と、を具備することを特徴としている。
【００１３】
請求項２の発明は、血圧の自動測定が可能なアナログ状表示器を備えた電子式血圧計であり、血圧測定部位に巻き付けるカフと、カフを加圧する加圧手段と、カフを減圧する減圧手段と、カフの圧力を検出して電気的出力を発する圧力センサと、圧力センサの検出データに基づいて演算処理することにより最高血圧及び最低血圧を判定する血圧判定手段と、目盛に沿って電子的に表示された表示体の長さまたは表示ポイントの位置により、圧力センサの検出した圧力値を表示するアナログ状表示器と、前記血圧判定手段が最高血圧と最低血圧を判定した後に、アナログ状表示器に対し、目盛上における最高血圧と最低血圧の幅を、最高血圧と最低血圧との間の表示体の長さとして、または、最高血圧と最低血圧の２つの表示ポイントの間隔として表示させる表示制御手段と、を具備することを特徴としている。
【００１４】
請求項３の発明は、請求項１または２に記載のアナログ状表示器を備えた電子式血圧計であって、前記アナログ状表示器とは別に、前記圧力センサの検出した圧力値をデジタル表示するデジタル表示器を備え、前記表示制御手段が、前記血圧判定手段が最高血圧と最低血圧を判定した後に、デジタル表示器に対し、最高血圧と最低血圧を数値表示させることを特徴としている。
【００１５】
請求項４の発明は、請求項１〜３のいずれかに記載のアナログ状表示器を備えた電子式血圧計であって、前記アナログ状表示器の目盛の位置に発光手段を設け、前記表示制御手段が、最高血圧と最低血圧の幅をアナログ状表示器に表示させる際に、最高血圧と最低血圧に対応する位置の発光手段を発光させることを特徴としている。
【００１６】
請求項５の発明は、請求項１〜４のいずれかに記載のアナログ状表示器を備えた電子式血圧計であって、前記表示制御手段が、最高血圧と最低血圧の幅をアナログ状表示器に表示させる際に、最高血圧と最低血圧との間の長さの表示体の全部、または、その表示体の最高血圧と最低血圧に対応する位置だけを点滅表示させることを特徴としている。
【００１７】
請求項６の発明は、請求項１〜５のいずれかに記載のアナログ状表示器を備えた電子式血圧計であって、前記表示制御手段が、前記血圧判定手段が最高血圧を判定した段階で、その最高血圧の位置で前記表示体をポイント表示させ、その後、前記血圧判定手段が最低血圧を判定するまでの間は、その最高血圧のポイント表示を維持したまま、圧力センサの検出値を表示体の長さで表示させることを特徴としている。
【発明の効果】
【００１８】
請求項１の発明によれば、従来の水銀柱式血圧計とほぼ同様の操作を行うことにより、手動で血圧を測定することができる。即ち、測定者は、アナログ状表示器の圧力表示（例えば、バーグラフ表示または指針表示）を見ながら、聴診器でコロトコフ音を聴き、コロトコフ音に基づいて、収縮期と判断したタイミングで外部入力スイッチを操作する。そうすると、第１の外部入力信号が発生し、血圧判定手段がそのタイミングにおける血圧表示値（圧力値）を最高血圧と判定する。また、その後、コロトコフ音に基づいて、拡張期と判断したタイミングで外部入力スイッチを操作する。そうすると、第２の外部入力信号が発生し、血圧判定手段がそのタイミングにおける血圧表示値（圧力値）を最低血圧と判定する。
【００１９】
そして、最高血圧と最低血圧が決まった段階で、表示制御手段が、アナログ状表示器に対し、最高血圧と最低血圧の幅を、目盛上における最高血圧と最低血圧との間の表示体の長さとして、または、最高血圧と最低血圧の２つの表示ポイントの間隔として表示させる。このように、「最高血圧と最低血圧の幅」をアナログ的に表示することができるので、測定者が「最高血圧と最低血圧の幅」を直感的に容易に認識できるようになり、単にデジタル表示するものと比べて商品価値が高まる。
【００２０】
請求項２の発明によれば、血圧を自動測定することができ、その測定結果である「最高血圧と最低血圧の幅」をアナログ的に表示することができる。従って、測定者が「最高血圧と最低血圧の幅」を直感的に容易に認識できるようになり、単にデジタル表示するものと比べて商品価値が高まる。
【００２１】
請求項３の発明によれば、更にアナログ状表示器とは別に設けたデジタル表示器に、最高血圧と最低血圧をデジタル表示させるので、直感的に最高血圧と最低血圧の数値を容易に認識することができる。
【００２２】
請求項４の発明によれば、最高血圧と最低血圧に対応した目盛の位置を発光させるので、より「最高血圧と最低血圧の幅」を認識しやすくなる。
【００２３】
請求項５の発明によれば、最高血圧と最低血圧との間の長さの表示体の全部、または、その表示体の最高血圧と最低血圧に対応する位置だけを点滅表示させるので、より「最高血圧と最低血圧の幅」を認識しやすくなる。
【００２４】
請求項６の発明によれば、血圧判定手段が最高血圧を判定した段階で、その最高血圧の位置で表示体をポイント表示させ、その後、血圧判定手段が最低血圧を判定するまでの間は、その最高血圧のポイント表示を維持したまま、圧力センサの検出値を表示体の長さで表示するので、まだ最低血圧が決まる測定途中の段階で、最高血圧値を即座に認識することができる。
【発明を実施するための最良の形態】
【００２５】
以下、本発明の実施形態を図面を参照しながら説明する。
図１は実施形態の電子式血圧計の構成図で、（ａ）は外観図、（ｂ）はブロック図である。また、図２は血圧計本体の正面図である。
【００２６】
この電子式血圧計は、血圧計本体１と、血圧測定部位に巻き付けるカフ２と、血圧計本体１のチューブ接続口１９とカフ２を連結するチューブ３とを備えている。
【００２７】
血圧計本体１には、カフ２を加圧する加圧手段（加圧ポンプ）１１と、カフ２を減圧する減圧手段（減圧弁）１２と、カフ２の圧力を検出して電気的出力を発する圧力センサ１３と、血圧測定をスタートさせるスタートスイッチ１７と、手動操作により外部入力信号を与える外部入力スイッチ（セットスイッチ）１８と、目盛１５Ａに沿って電子的に表示された表示体１５Ｂの長さにより、圧力センサ１３の検出した圧力値を表示するアナログ状表示器１５と、圧力センサ１３の検出した圧力値を数値表示するデジタル表示器１６と、電源スイッチ２０及び電源ランプ２２と、手動測定モードと自動測定モードを切り替えるモード切替スイッチ２１と、加圧手段１１によるカフ２への加圧上限値を調節するためのダイヤルスイッチ２３と、全般を制御する制御装置１４と、が設けられている。
【００２８】
スイッチ１７、１８、２０、２１、２２、２３類や電源ランプ２２は、本体ケース１０の外面に装備されている。また、加圧手段１１、減圧手段１２、圧力センサ１３、制御装置１４は、本体ケース１０の内部に装備されている。また、アナログ状表示器１５とデジタル表示器１６は、本体ケース１０の正面壁の見やすい位置に装備されている。セットスイッチ１８とスタートスイッチ１７は、アナログ状表示器１５とデジタル表示器１６の下側の、表示を見ながら操作しやすい位置に設けられている。
【００２９】
アナログ状表示器１５は、下側から上側に向かって圧力値が大きくなるように振られた目盛１５Ａと、目盛１５Ａに沿って配設された表示体１５Ｂとからなる。目盛１５Ａは、０ｍｍＨｇ〜３００ｍｍＨｇの圧力を２ｍｍＨｇ間隔で刻んだ目盛線と、１０ｍｍＨｇごとの目盛線に振られた目盛数値とからなる。表示体１５Ｂは、図３に示すように、上下方向に整列されて、それぞれが一定幅の圧力量で規定された多数のセグメント１５ｓの整列体によって構成されている。この場合、１つのセグメント１５ｓは、表示体１５Ｂの長さ方向（上下方向）と直交する水平方向に細長いバー状のもので、１ｍｍＨｇまたは２ｍｍＨｇの圧力量に相当するように規定されている。セグメント１５ｓは、ＬＣＤやＬＥＤ等で構成されている。また、アナログ状表示器１５の背後には、表示を見やすくするためのバックライトが組み込まれている。
【００３０】
図３の例においては、１つのセグメント１５ｓが「２ｍｍＨｇ」に相当するように設定されている。つまり、圧力表示分解能が「２ｍｍＨｇ」ということである。圧力表示分解能を上げると、それだけセグメント１５ｓの数を増やさなくてはならない。「１ｍｍＨｇ」の圧力表示分解能にすると、「２ｍｍＨｇ」の圧力表示分解能の２倍の数のセグメント１５ｓが必要となるので、それだけコスト増になる可能性がある。しかし、実際に圧力表示値を目で読み取る場合は、目盛線と目盛線の間まで読み取ることは難しいので、「２ｍｍＨｇ」の圧力表示分解能があれば、圧力値を読み取る上では全く問題ない。ただし、脈拍による圧力変動をできるだけ正確に表示しようとする場合は、最高血圧や最低血圧付近の脈波の振幅が０．５〜２．０ｍｍＨｇ程度であるので、細かい表示分解能がある方が好ましい。
【００３１】
ところで、圧力センサ１３による圧力検出のサンプリング間隔は１０ｍｓ（ミリセカンド）のオーダー（例えば３０ｍｓ）であり、圧力検出の分解能は「０．０５ｍｍＨｇ」レベルである。つまり、表示上は２ｍｍＨｇ間隔の分解能であるが、内部的にはかなり細かく圧力を検出しているのである。
【００３２】
アナログ状表示器１５は、表示体１５Ｂのセグメント１５ｓを、下側（０ｍｍＨｇの位置）から連続して表示ＯＮ（点灯）とすることにより、つまり、下から第１のセグメント、第２のセグメント、…第ｎ番目のセグメントというように検出圧力値の位置まで全て点灯することにより、図２に示すように、圧力値をバーグラフ表示することができる。従って、測定者は、点灯したセグメント１５ｓの数、というよりも、実際には表示体１５Ａの長さ（上端の位置）を目盛１５Ａ上で読み取ることにより、圧力値を直感的に把握することができる。
【００３３】
一方、デジタル表示器１６は、圧力値や脈拍を数値表示するセグメントタイプのものであり、図２に示すように、主に３つの表示部１６Ａ、１６Ｂ、１６Ｃを有している。上側の表示部１６Ａは、リアルタイムの圧力検出値を表示すると共に、測定結果の表示時には最高血圧（ＳＹＳ＝収縮期血圧値）を表示する部分、その下側の表示部１６Ｂは、測定結果の表示時に最低血圧（ＤＩＡ＝拡張期血圧値）を表示する部分、その下側の表示部１６Ｃは脈拍（Ｐｕｌｓｅ）を表示する部分である。上側２つの表示部１６Ａ、１６Ｂは、３桁の７セグメント状電極で構成されており、その単位はｍｍＨｇである。下の脈拍用の表示部１６Ｃは、３桁のうちの１番上の桁が２セグメント状電極で構成され、下２桁が７セグメント状電極で構成されたもので、その単位はＰｕｌ／ｍｉｎとなっている。そのほかに、デジタル表示部１６には、測定ナンバー（何回目）を表示する表示部１６Ｄ等が設けられている。
【００３４】
これらの各表示部１６Ａ〜１６Ｄは、各セグメントを選択的に発光させることによって、０〜９までの数字を表示することができる。但し、脈拍用の表示部１６Ｃの百の位の桁は１だけ表示可能となっている。従って、それらの数値により測定結果を直読することができる。
【００３５】
制御装置１４は、加圧手段１１や減圧手段１２を所定のプログラムに従って制御する機能と、アナログ状表示器１５とデジタル表示器１６の表示を制御する機能（表示制御手段に相当）と、モード切替スイッチ２１の操作により手動測定モードと自動測定モードを切り替える機能と、自動測定モードが選択されているときに、血圧測定のためのカフ２の減圧過程における圧力センサ１３の検出データに基づいて演算処理することにより最高血圧及び最低血圧を判定する機能（血圧判定手段に相当）と、手動測定モードが選択されているときに、血圧測定のためのカフ２の減圧過程において、外部入力スイッチ１８により、第１の外部入力信号が入力されたタイミングと、その後の第２の外部入力信号が入力されたタイミングと、にそれぞれ対応した圧力センサ１３の検出値を、最高血圧及び最低血圧として判定する機能（血圧判定手段に相当）と、最高血圧と最低血圧を判定した後に、アナログ状表示器１５に対し、図４に示すように、最高血圧と最低血圧の幅を、目盛１５Ａ上における最高血圧と最低血圧との間の表示体１５Ｂの長さＨとして表示させる機能（表示制御手段）と、最高血圧と最低血圧を判定した後に、デジタル表示器１６に対し、最高血圧と最低血圧を数値表示させる機能と、を備えている。
【００３６】
次に作用を説明する。
まず、モード切替スイッチ２１を「Ｍ（Ｍａｎｕａｌ）」側に切り替えて、手動で血圧測定を行う場合について説明する。手動と自動の両モードに共通の工程として、最初に被測定者の上腕にカフ２を巻き付けて、加圧上限値調節用のダイヤルスイッチ２３を、被験者の最高血圧値より高い適当な値に設定し、スタートスイッチ１７を押す。そうすると、予め決められたプログラムに従って動作が進む。まず、加圧手段１１がカフ２に加圧空気を送り込み、カフ２が上腕を徐々に圧迫する。加圧上限値調節用のダイヤルスイッチ２３で設定した値まで加圧した段階で、自動的に加圧がストップし、減圧手段１２により徐々にカフ２の減圧が始まる。
【００３７】
手動モードの場合、この減圧過程で、測定者は、アナログ状表示器１５の圧力表示（バーグラフ表示）を見ながら、被測定者の腕に聴診器を当ててコロトコフ音を聴き取る。
【００３８】
そして、コロトコフ音に基づいて心臓の収縮期を聴き分けたタイミング（つまり、圧迫が弱まりコロトコフ音が聞こえ始めたタイミング）で、アナログ状表示器１５の圧力表示値を読み取りながら（これは、水銀柱式血圧計を使用する場合の標準的な動作であり、本実施形態の場合は必ずしも必要な行為ではない）、外部入力スイッチ（セットスイッチ）１８を押す。そうすると、第１の外部入力信号が発生し、制御装置１４が、そのタイミングにおける血圧表示値（圧力値）を「最高血圧」として判定して記憶する。
【００３９】
また、その後、コロトコフ音に基づいて心臓の拡張期と判断したタイミング（つまり、圧迫が更に弱まってコロトコフ音が再び聞こえなくなったタイミング）で、アナログ状表示器１５の圧力表示値を読み取りながら（これも、水銀柱式血圧計を使用する場合の標準的な動作であり、本実施形態の場合は必ずしも必要な行為ではない）、外部入力スイッチ（セットスイッチ）１８を押す。そうすると、第２の外部入力信号が発生し、制御装置１４が、そのタイミングにおける血圧表示値（圧力値）を「最低血圧」として判定して記憶する。
【００４０】
そして、制御装置１４は、最高血圧と最低血圧が決まった段階で、アナログ状表示器１５に対し、図４に示すように、最高血圧と最低血圧の幅を、目盛１５Ａ上における最高血圧と最低血圧との間の表示体１５Ｂの長さＨとして表示させる。また、同時にデジタル表示器１６に、最高血圧と最低血圧を数値表示させる。
【００４１】
一方、モード切替スイッチ２１を「Ａ（ＡＵＴＯ）」側に切り替えての自動測定モードの場合は、前記の減圧工程を実施していると、制御装置１４によって自動的に、圧力センサ１３の検出データに基づいて最高血圧と最低血圧が演算される。その血圧判定の原理としては、脈圧に基づくものと、コロトコフ音に基づくもの等があり、いずれも公知の手法であるため、ここでは特に説明しない。そして、手動モードのときと同様に、制御装置１４が、最高血圧と最低血圧が決まった段階で、アナログ状表示器１５に対し、図４に示すように、最高血圧と最低血圧の幅を、目盛１５Ａ上における最高血圧と最低血圧との間の表示体１５Ｂの長さＨとして表示させる。また、同時にデジタル表示器１６に、最高血圧と最低血圧を数値表示させる。
【００４２】
このように、いずれの測定モードの場合も、最高血圧と最低血圧の幅をアナログ的に表示するので、測定者が最高血圧と最低血圧の幅を直感的に容易に認識できるようになる。また、最高血圧と最低血圧はデジタル表示器１６において同時に数値として表示するので、最高血圧と最低血圧を数値として容易に認識できる。従って、単にデジタル表示だけするものと比べて商品価値が高まる。
【００４３】
図５〜図８は、結果の表示の仕方の他の例を示している。
【００４４】
図５に示す例では、アナログ状表示器１５に対し、最高血圧と最低血圧の幅を、目盛１５Ａ上における最高血圧と最低血圧の２つの表示ポイント（指針状の表示）の間隔Ｈとして表示させるようにしている。この場合も、前記実施形態と同様の効果を得ることができる。
【００４５】
図６に示す例では、アナログ状表示器１５の目盛１５Ａの位置に発光手段１５ｈを設け、最高血圧と最低血圧の幅をアナログ状表示器１５に表示させる際に、最高血圧と最低血圧に対応する位置の発光手段１５ｈを発光させるようにしている。この場合は、前記実施形態よりも最高血圧と最低血圧の幅を認識しやすくなる。なお、図６では、最高血圧と最低血圧の幅をアナログ表示するのに、図４の例を採用する場合を示しているが、図５の表示の仕方を採用してもよい。
【００４６】
図７に示す例では、最高血圧と最低血圧の幅をアナログ状表示器１５に表示させる際に、最高血圧と最低血圧との間の長さの表示体１５Ｂの、最高血圧と最低血圧に対応する位置だけを点滅表示させるようにしている。また、図８の例では、最高血圧と最低血圧との間の長さの表示体１５Ｂの全部を点滅表示させるようにしている。このようにした場合は、前記実施形態よりも最高血圧と最低血圧の幅を認識しやすくなる。
【００４７】
図９は、過去何回かの測定結果（最高血圧と最低血圧の幅）を、例えばどれかのスイッチを押す毎に順番に表示するように設定した例を示している。このように、順番に過去から現在の最高血圧と最低血圧の幅を表示することにより、最高血圧と最低血圧の幅の時間的な変化を容易に認識できるようになる。
【００４８】
また、図１０に示す例では、最高血圧（この図示例では、１２０ｍｍＨｇ）を判定した段階で、その最高血圧の位置で表示体１５Ｂをポイント表示させ、その後、制御装置１４が最低血圧を判定するまでの間は、その最高血圧のポイント表示を維持したまま、圧力センサ１３の検出値を表示体１５Ｂの長さで表示させる。つまり、リアルタイムで圧力を表示している表示体１５Ｂの上端の上側に無表示部１５ｍができる。そして、最低血圧を判定した段階で、図４と同じように表示させるようにしている。このように最高血圧が決まった段階で即座に、最高血圧値をポイント表示することにより、最低血圧が決まる測定途中の段階でも、最高血圧値を認識しておくことができる。
【００４９】
なお、上記の実施形態では、圧力センサ１３の検出値をリアルタイムでアナログ状表示器１５に表示させる際に、バーグラフ表示させる場合について述べたが、検出圧力値の位置の表示体１５Ｂをポイント表示（指針表示）させるようにしてもよい。
【図面の簡単な説明】
【００５０】
【図１】（ａ）は本発明の実施形態の電子式血圧計の概略構成図、（ｂ）は構成を示すブロック図である。
【図２】実施形態の電子式血圧計の血圧計本体１の正面図である。
【図３】実施形態の電子式血圧計におけるアナログ状表示器１５の構成説明図である。
【図４】実施形態の電子式血圧計における最高血圧と最低血圧の幅の表示例を示す図である。
【図５】最高血圧と最低血圧の幅の別の表示例を示す図である。
【図６】最高血圧と最低血圧の幅の更に別の表示例を示す図である。
【図７】最高血圧と最低血圧の幅の更に別の表示例を示す図である。
【図８】最高血圧と最低血圧の幅の更に別の表示例を示す図である。
【図９】何回かの測定結果を順番に表示することを示す図である。
【図１０】最高血圧を判定した段階で即座に最高血圧値だけをポイント表示する場合の表示例を示す図である。
【符号の説明】
【００５１】
１  血圧計本体
２  カフ
１１  加圧手段
１２  減圧手段
１３  圧力センサ
１４  制御装置（制御手段）
１５  アナログ状表示器
１５Ａ  目盛
１５Ｂ  表示体
１６  デジタル表示器
１８  外部入力スイッチ（セットスイッチ）
【図１】
2007135715.tif 000003
【図２】
2007135715.tif 000004
【図３】
2007135715.tif 000005
【図４】
2007135715.tif 000006
【図５】
2007135715.tif 000007
【図６】
2007135715.tif 000008
【図７】
2007135715.tif 000009
【図８】
2007135715.tif 000010
【図９】
2007135715.tif 000011
【図１０】
2007135715.tif 000012